【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
第１電子機器によって通信リンクを媒介するための方法であって、前記方法は、
前記第１電子機器から第２電子機器に第１要請メッセージを転送することと、
前記第１要請メッセージに応答して、前記第２電子機器から第１応答メッセージを受信することであって、前記第１応答メッセージは、前記第２電子機器によって支援される第１代替キャリア情報を含む、ことと、
前記第１電子機器から第３電子機器に第２要請メッセージを転送することと、
前記第２要請メッセージに応答して、前記第３電子機器から第２応答メッセージを受信することであって、前記第２応答メッセージは、前記第３電子機器によって支援される第２代替キャリア情報を含む、ことと、
選択された代替キャリアを介して、前記第２電子機器及び前記第３電子機器を接続する前記通信リンクの開設を要請することであって、前記選択された代替キャリアは、前記第１代替キャリア情報及び前記第２代替キャリア情報に基づいて決定される、ことと
を含む、方法。
【請求項２】
前記第１電子機器、前記第２電子機器及び前記第３電子機器の間のメッセージの送受信は、ＮＦＣ（Ｎｅａｒ  Ｆｉｅｌｄ  Ｃｏｍｍｕｎｉｃａｔｉｏｎ）を介して行われる、請求項１に記載の方法。
【請求項３】
前記選択された代替キャリアは、前記第１電子機器によるキャリア優先順位に基づいて自動的に決定され、または、ユーザインタフェースを介してユーザ選択によって決定される、請求項１に記載の方法。
【請求項４】
前記第１要請メッセージ及び前記第２要請メッセージが、それぞれ、前記第１代替キャリア情報及び前記第２代替キャリア情報を含んでいない場合、前記第１要請メッセージ及び前記第２要請メッセージは、それぞれ、前記第１代替キャリア情報及び前記第２代替キャリア情報を要請するための識別情報を含む、請求項１に記載の方法。
【請求項５】
前記第１要請メッセージ及び前記第２要請メッセージの各々は、少なくともバージョン情報及び代替キャリア情報を含む、請求項１に記載の方法。
【請求項６】
前記代替キャリア情報は、キャリア電力状態情報、補助データ参照情報及び補助データ参照カウント情報のうちの少なくとも一つを含む、請求項５に記載の方法。
【請求項７】
前記キャリア電力状態情報は、アクティブ状態情報、非アクティブ状態情報、アクティブ中の状態情報及び分からない状態情報のうちの一つを示す、請求項６に記載の方法。
【請求項８】
通信リンクを媒介するための電子機器であって、前記電子機器は、
通信部と、
制御部と
を備え、
前記通信部は、
第１電子機器に第１要請メッセージを転送することと、
前記第１要請メッセージに応答して、前記第１電子機器から第１応答メッセージを受信することであって、前記第１応答メッセージは、前記第１電子機器によって支援される第１代替キャリア情報を含む、ことと、
第２電子機器に第２要請メッセージを転送することと、
前記第２要請メッセージに応答して、前記第２電子機器から第２応答メッセージを受信することであって、前記第２応答メッセージは、前記第２電子機器によって支援される第２代替キャリア情報を含む、ことと
を行うように構成され、
前記制御部は、選択された代替キャリアを介して、前記第１電子機器及び前記第２電子機器を接続する前記通信リンクの開設を要請するように構成され、前記選択された代替キャリアは、前記第１代替キャリア情報及び前記第２代替キャリア情報に基づいて決定される、電子機器。
【請求項９】
前記通信部は、ＮＦＣモジュール及び代替通信モジュールのうちの少なくとも一つを含む、請求項８に記載の電子機器。
【請求項１０】
前記選択された代替キャリアは、前記第１電子機器によるキャリア優先順位に基づいて自動的に決定され、または、ユーザインタフェースを介してユーザ選択によって決定される、請求項８に記載の電子機器。
【請求項１１】
前記第１要請メッセージ及び前記第２要請メッセージが、それぞれ、前記第１代替キャリア情報及び前記第２代替キャリア情報を含んでいない場合、前記第１要請メッセージ及び前記第２要請メッセージは、それぞれ、前記第１代替キャリア情報及び前記第２代替キャリア情報を要請するための識別情報を含む、請求項８に記載の電子機器。
【請求項１２】
前記第１要請メッセージ及び前記第２要請メッセージの各々は、少なくともバージョン情報及び代替キャリア情報を含む、請求項８に記載の電子機器。
【請求項１３】
前記代替キャリア情報は、キャリア電力状態情報、補助データ参照情報及び補助データ参照カウント情報のうちの少なくとも一つを含む、請求項１２に記載の電子機器。
【請求項１４】
前記キャリア電力状態情報は、アクティブ状態情報、非アクティブ状態情報、アクティブ中の状態情報及び分からない状態情報のうちの一つを示す、請求項１３に記載の電子機器。
【手続補正２】
【補正対象書類名】明細書
【補正対象項目名】０００９
【補正方法】変更
【補正の内容】
【０００９】
本発明の他の様相による第１電子機器による通信リンクの媒介方法は、第２電子機器から、前記第２電子機器により支援される第１代替通信手段に関連した情報を含むメッセージを受信するステップと、前記第１電子機器から第３電子機器に第１要請メッセージを転送するステップと、前記第１要請メッセージに対する応答として、前記第３電子機器から、前記第３電子機器により支援される第２代替通信手段に関連した情報を含む第１応答メッセージを受信するステップと、前記第１代替通信手段に関連した情報及び前記第２代替通信手段に関連した情報に基づいて選択された一つの代替通信手段によって、前記第２電子機器及び前記第３電子機器の間に通信リンクの開設を要請するステップとを含むことができる。
本願明細書は、例えば、以下の項目も提供する。
（項目１）
第１電子機器による通信リンクの媒介方法であって、
前記第１電子機器から第２電子機器に第１要請メッセージを転送するステップと、
前記第１要請メッセージに対する応答として、前記第２電子機器から、前記第２電子機器により支援される第１代替通信手段に関連した情報を含む第１応答メッセージを受信するステップと、
前記第１電子機器から第３電子機器に第２要請メッセージを転送するステップと、
前記第２要請メッセージに対する応答として、前記第３電子機器から、前記第３電子機器により支援される第２代替通信手段に関連した情報を含む第２応答メッセージを受信するステップと、
前記第１代替通信手段に関連した情報及び前記第２代替通信手段に関連した情報に基づいて選択された一つの代替通信手段を介して、前記第２電子機器及び前記第３電子機器の間に通信リンクの開設を要請するステップと
を含む通信リンクの媒介方法。
（項目２）
前記第１電子機器、前記第２電子機器及び前記第３電子機器の間のメッセージの送受信は、ＮＦＣ通信（Ｎｅａｒ  Ｆｉｅｌｄ  Ｃｏｍｍｕｎｉｃａｔｉｏｎ）によって行われる項目１に記載の通信リンクの媒介方法。
（項目３）
前記第１代替通信手段に関連した情報及び前記第２代替通信手段に関連した情報は、少なくとも代替通信手段の名称及び設定情報を含む項目１に記載の通信リンクの媒介方法。
（項目４）
前記第１要請メッセージ及び前記第２要請メッセージが、前記第２電子機器及び第３電子機器により支援される代替通信手段に関連した情報を含んでいない場合、前記第１要請メッセージ及び前記第２要請メッセージには、前記第１代替通信手段に関連した情報及び前記第２代替通信手段に関連した情報を要請することを表すための識別情報が含まれている項目１に記載の通信リンクの媒介方法。
（項目５）
前記第１要請メッセージ及び前記第２要請メッセージには、前記第２電子機器及び第３電子機器により支援される代替通信手段に関連した情報が含まれている項目１に記載の通信リンクの媒介方法。
（項目６）
前記第１代替通信手段に関連した情報及び前記第２代替通信手段に関連した情報に基づいて選択された一つの代替通信手段は、前記第１電子機器、前記第２電子機器及び前記第３電子機器のうち、少なくとも一つにより選択されたことである項目１に記載の通信リンクの媒介方法。
（項目７）
前記第１応答メッセージ及び前記第２応答メッセージには、前記第２電子機器及び第３電子機器が支援する代替通信手段の電力（ｐｏｗｅｒ）状態に関する情報が含まれている項目１に記載の通信リンクの媒介方法。
（項目８）
第１電子機器による通信リンクの媒介方法であって、
第２電子機器から、前記第２電子機器により支援される第１代替通信手段に関連した情報を含むメッセージを受信するステップと、
前記第１電子機器から第３電子機器に第１要請メッセージを転送するステップと、
前記第１要請メッセージに対する応答として、前記第３電子機器から、前記第３電子機器により支援される第２代替通信手段に関連した情報を含む第１応答メッセージを受信するステップと、
前記第１代替通信手段に関連した情報及び前記第２代替通信手段に関連した情報に基づいて選択された一つの代替通信手段によって、前記第２電子機器及び前記第３電子機器の間に通信リンクの開設を要請するステップと
を含む通信リンクの媒介方法。
（項目９）
前記第２電子機器または前記第３電子機器は、タグ（ｔａｇ）で、前記タグ（ｔａｇ）は、前記第１代替通信手段に関連した情報または前記第２代替通信手段に関連した情報を予め格納している項目８に記載の通信リンクの媒介方法。
（項目１０）
通信リンクの媒介のための電子機器であって、
第１電子機器に第１要請メッセージを転送し、
前記第１要請メッセージに対する応答として、前記第１電子機器から、前記第１電子機器により支援される第１代替通信手段に関連した情報を含む第１応答メッセージを受信し、
第２電子機器に第２要請メッセージを転送し、
前記第２要請メッセージに対する応答として、前記第２電子機器から、前記第２電子機器により支援される第２代替通信手段に関連した情報を含む第２応答メッセージを受信する通信部と、
前記第１代替通信手段に関連した情報及び前記第２代替通信手段に関連した情報に基づいて選択された一つの代替通信手段によって、前記第１電子機器及び前記第２電子機器の間に通信リンクの開始を要請する制御部と
を備える電子機器。
（項目１１）
前記通信部は、少なくともＮＦＣ通信（Ｎｅａｒ  Ｆｉｅｌｄ  Ｃｏｍｍｕｎｉｃａｔｉｏｎ）モジュール及び代替通信モジュールを備える項目１０に記載の電子機器。
（項目１２）
前記第１代替通信手段に関連した情報及び前記第２代替通信手段に関連した情報は、少なくとも代替通信手段の名称及び設定情報を含む項目１０に記載の電子機器。
（項目１３）
前記第１要請メッセージ及び前記第２要請メッセージに前記第１電子機器及び前記第２電子機器により支援される代替通信手段に関連した情報が含まれていない場合、前記第１要請メッセージ及び前記第２要請メッセージには、前記第１代替通信手段に関連した情報及び前記第２代替通信手段に関連した情報を要請することを表すための識別情報が含まれている項目１０に記載の電子機器。
（項目１４）
前記第１要請メッセージ及び前記第２要請メッセージには、前記第１電子機器及び前記第２電子機器により支援される代替通信手段に関連した情報が含まれている項目１０に記載の電子機器。
（項目１５）
前記第１代替通信手段に関連した情報及び前記第２代替通信手段に関連した情報に基づいて選択された一つの代替通信手段は、前記電子機器、前記第１電子機器及び前記第２電子機器のうち、少なくとも一つにより選択されたことである項目１０に記載の電子機器。
（項目１６）
前記第１応答メッセージ及び前記第２応答メッセージには、前記第１電子機器及び第２電子機器が支援する代替通信手段の電力（ｐｏｗｅｒ）状態に関する情報が含まれている項目１０に記載の電子機器。
（項目１７）
通信リンクの媒介のための電子機器であって、
第１電子機器から、前記第１電子機器により支援される第１代替通信手段に関連した情報を含むメッセージを受信し、第２電子機器に第１要請メッセージを転送し、前記第１要請メッセージに対する応答として、前記第２電子機器から、前記第２電子機器により支援される第２代替通信手段に関連した情報を含む第１応答メッセージを受信する通信部と、
前記第１代替通信手段に関連した情報及び前記第２代替通信手段に関連した情報に基づいて選択された一つの代替通信手段によって、前記第１電子機器及び前記第２電子機器の間に通信リンクの開始を要請する制御部と、
を備える電子機器。
（項目１８）
前記第１電子機器または第２電子機器は、タグ（ｔａｇ）で、前記タグ（ｔａｇ）は、前記第１代替通信手段に関連した情報または前記第２代替通信手段に関連した情報を予め格納している項目１０に記載の電子機器。